(57)【要約】【課題】反射ベースで跳飛させ、ゴール部の球受けで捕球する弾性球体を用いる玩具を提供する。【解決手段】球受けを設けたゴール部と、これに対峙して凸面状反射ベースまたは凹面状反射ベースの何れかを床面に載置して、弾性球体を跳飛させ球受けで捕球する弾性球体を用いる玩具。【選択図】図１
2006087879.tif 000002
【特許請求の範囲】
【請求項１】
床面に対し略垂直方向に載置する保持部材（６）に保持されるスクリーン（４）と該スクリーンの任意の位置において着脱自在に、かつ略水平に係止される球受け（３）よりなるゴール部（５）と、これに対峙する反射ベース（２）で構成され、該反射ベースにて弾性球体（１）を跳飛させ、球受け（３）で捕球する弾性球体を用いる玩具。
【請求項２】
床面に対し略垂直方向に載置する基台（９）に保持される軸（８）と該軸周りに吊架部材（１０）を軸止し、これに球受け（３）を略水平に係止してなるゴール部（５ａ）と、これに対峙する反射ベース（２）で構成され、該反射ベースにて弾性球体（１）を跳飛させ、球受け（３）で捕球する弾性球体を用いる玩具。
【請求項３】
前記ゴール部（５ａ）を着脱自在に装着する駆動装置（１２）により、時計回り或いは反時計回りに水平駆動又は同時に垂直上下動と偏芯回転及び駆動速度の制御を自在にしてなる請求項２記載の弾性球体を用いる玩具。
【請求項４】
反射面の表面形状が凸面状を成す反射ベース（２）または反射面の表面形状が凹面状を成す反射ベース（２ａ）を用いる請求項１、請求項２、請求項３記載の弾性球体を用いる玩具。
【発明の詳細な説明】
【技術分野】
【０００１】    本発明は、弾性球体を反射ベースで跳飛させ、ゴールの球受けで捕球することを競う弾性球体を用いる玩具に関するものである。
【背景技術】
【０００２】  従来、弾性球体の玩具としてスーパーボール（登録商標名）があった。
【発明の開示】
【発明が解決しようとする課題】
【０００３】  従来の玩具として、例えば、硬い床面などで非常に良く弾む弾性球体で、スーパーボール（登録商標名）として知られている。しかし、これらの対象は幼児や児童が主体であり、床面で弾ませて遊ぶだけなので飽きが早く面白みがない。これは、単調で競技性に欠けるからである。これを幼児から児童そして老齢者にも楽しめる、競技性と興趣が高い面白味のある、弾性球体を用いる玩具を構成する。本発明では、これらの問題点を解決するためになされたものである。
【課題を解決するための手段】
【０００４】  本発明の請求項１に係る弾性球体を用いる玩具は、床面に対し略垂直方向に載置する保持部材に保持されるスクリーンと、該スクリーンの任意の位置において着脱自在に、かつ略水平に係止される球受けよりなるゴール部と、これに対峙する反射ベースで構成され、該反射ベースにて弾性球体を跳飛させ、球受けで捕球する弾性球体を用いる玩具である。【０００５】  本発明の請求項２に係る弾性球体を用いる玩具は、床面に対し略垂直方向に載置する基台に保持される軸と、該軸周りに吊架部材を軸止し、これに球受けを略水平に係止してなるゴール部と、これに対峙する反射ベースで構成され、該反射ベースにて弾性球体を跳飛させ、球受けで捕球する弾性球体を用いる玩具である。【０００６】  また、本発明の請求項３に係る弾性球体を用いる玩具は、前記０００５記載のゴール部を着脱自在に装着する駆動装置により、時計回り或いは反時計回りに水平駆動又は同時に垂直上下動と偏芯回転及び駆動速度の制御を自在にしてなる請求項２記載の弾性球体を用いる玩具である。【０００７】  さらに本発明に係る反射ベースにおいて、反射面の表面形状が凸面を成す反射ベース、または反射面の表面形状が凹面を成す反射ベースを用いる請求項１、請求項２、請求項３記載の弾性球体を用いる玩具である。
【発明の効果】
【０００８】  以上のように、本発明によれば、弾性球体を反射ベースで跳飛させ、ゴール部の球受けで捕球する構成なので、弾性球体を跳飛させる瞬間の判断力や集中力とゴールした時の喜びが奏効して競技性を高めることができる。これを使用すると、幼児から児童そして特に老齢者にとっては思考力の回復訓練にも寄与できる。
【発明を実施するための最良の形態】
【０００９】  以下、本発明の実施の形態を図面に基づいて説明する。
（イ）図１において、ゴール部（５）の実施例で保持部材（６）は金属又はプラスチックで断面がコ字形に形成されたチャンネルを長四角形に成形する。
（ロ）スクリーン（４）はネットで、素材はポリエチレン繊維を使用したネット、または塩ビを不織成型したネット、金属ネット、他にプラスチック板や金属の薄板のパンチングボードを用いてチャンネルの溝に挟着または接着する。
（ハ）保持部材（６）が床面に対し略垂直になるように、プラスチック又は木材或いは金属のパイプ、棒材、板材などを用いて固定台（７）をネジ止め又は接着材で取り付ける。
（ニ）球受け（３）は塩ビ又はプラスチック材で籠状に一体成型したもの、あるいは金属ネットで成形し、籠の開口部の外縁にフックを設ける。これをスクリーン（４）の網目又はパンチングボードの孔に係止する。
（ホ）反射ベース（２）及び反射ベース（２ａ）の反射面は平滑な凸面状または凹面状にコンクリート材で成型する。他に、鉄、プラスチック、ガラス、セラミック、硬質石材などで形成することもできる。
（ヘ）また、ここに寸法の一例を挙げると。保持部材（６）の高さ４０ｃｍ、幅７０ｃｍ、スクリーンの網目間隔３ｍｍ、パンチングボードの孔径４ｍｍ〜５ｍｍ、固定台（７）の高さ１ｃｍ、幅５ｃｍ、長さ１５ｃｍ、球受け（３）の開口部直径４ｃｍ、高さ３．５ｃｍ、開口部の外縁に係止用のフック（１３）を直径１．５ｍｍの針金材を用いてＵ字形に曲げ、一端を折り曲げて絡め、挟着または接着材で固着する。
本発明は以上のような構成で、これを使用するときは、ゴール部（５）又は、ゴール部（５ａ）に反射ベース（２）又は反射ベース（２ａ）の傾斜面を対峙させ所要な距離の床面に載置する。そして、弾性球体をひとつ指で摘むか手のひらに載せて反射ベース真上の任意の高さから上手く落すと、跳飛した弾性球体（１）が球受け（３）に捕球されることで競技する。また、競技の難易度はゴール部と反射ベースの組合せと相互の距離で調整できる。そして弾性球体を色分けして複数で競技することもできる。
【実施例１】
【００１０】    図２に示すように、球受け（３）が図１のスクリーン（４）の代わりに、軸（８）と直角を成すように基台（９）を固定し、その軸周りに略１ｍｍの鋼線材で形成した吊架部材（１０）を軸止する。次に図（１）で用いたものと同等の球受け（３）を利用し開口部の外縁に折り曲げて絡め、挟着又は接着材で固着する。また、水平方向は吊架部材（１０）を曲げて調整する。
【実施例２】
【００１１】  図３に示すように、ゴール部（５ａ）の基台（９）を駆動装置（１２）のターンテーブル（１１）に載せて時計回り又は反時計回りに水平回転、或いは同時に垂直上下動を行い、駆動速度を自在に制御する。また、基台（９）の軸芯とターンテーブル（１１）の軸芯をずらして載せるとゴール部（５ａ）は偏芯回転を行う。
【図面の簡単な説明】
【００１０】
【図１】本発明の使用状態を示す斜視図である
【図２】本発明の使用状態を示す側面図である
【図３】本発明のゴール部を駆動装置に載置した状態を示す斜視図である
【図４】本発明の球受けの拡大斜視図である
【図５】本発明で用いる弾性球体の形状を示す斜視図である
【図６】本発明の凸面状反射ベースの形状を示す斜視図である
【図７】本発明の凹面状反射ベースの形状を示す斜視図である
【符号の説明】
【００１１】１      弾性球体
２      凸面状反射ベース
２ａ    凹面状反射ベース
３      球受け
４      スクリーン
５      ゴール部
５ａ    ゴール部
６      保持部材
７      固定台
８      軸
９      基台
１０    吊架部材
１１    ターンテーブル
１２    駆動装置
１３    フック
【図１】
2006087879.tif 000003
【図２】
2006087879.tif 000004
【図３】
2006087879.tif 000005
【図４】
2006087879.tif 000006
【図５】
2006087879.tif 000007
【図６】
2006087879.tif 000008
【図７】
2006087879.tif 000009